(57)【特許請求の範囲】
【請求項１】
給紙された用紙を搬送する搬送部と、
前記搬送部の搬送経路上に位置し、用紙に対して画像形成を行う画像形成部と、
用紙のジャムを検知するジャム検知部と、
前記ジャム検知部によりジャムが検知された場合に、前記搬送部を制御して、給紙済みの用紙を排紙トレイに排出させる制御部と、
を備える画像形成装置であって、
前記制御部は、前記ジャム検知部によりジャムが検知された場合に、当該ジャムが解除された後に当該ジャムに起因して形成が必要となる画像に対応する用紙の紙種と、給紙済みかつ画像未形成の用紙である対象用紙の紙種と、を比較し、両者が一致する場合に、当該対象用紙を排出させずに、前記ジャムに起因して形成が必要となる画像を前記対象用紙に形成させ、
前記対象用紙が複数枚ある場合に、前記ジャムに起因して形成が必要となる各画像に対応する用紙の紙種と、前記複数枚の対象用紙の各対象用紙の紙種と、を画像形成順に比較する画像形成装置。
【請求項２】
前記制御部は、前記ジャムに起因して形成が必要となる各画像に対応する用紙の紙種と、前記各対象用紙の紙種と、が画像形成順で全て一致する場合に、前記ジャムに起因して形成が必要となる各画像を前記各対象用紙に形成させる請求項１に記載の画像形成装置。
【請求項３】
前記制御部は、前記ジャムに起因して形成が必要となる各画像に対応する用紙の紙種と、前記各対象用紙の紙種と、を画像形成順に比較し、前記ジャムに起因して形成が必要となる画像に対応する用紙と紙種が一致しない前記対象用紙及び用紙搬送方向においてその下流に位置する用紙を排出させる処理を行い、排出して残った前記対象用紙に対し、前記処理を繰り返す請求項１に記載の画像形成装置。
【請求項４】
給紙された用紙を搬送する搬送部と、
前記搬送部の搬送経路上に位置し、用紙に対して画像形成を行う画像形成部と、
用紙のジャムを検知するジャム検知部と、
前記ジャム検知部によりジャムが検知された場合に、前記搬送部を制御して、給紙済みの用紙を排紙トレイに排出させる制御部と、
を備える画像形成装置であって、
前記制御部は、前記ジャム検知部によりジャムが検知された場合に、当該ジャムが解除された後に当該ジャムに起因して形成が必要となる画像に対応する用紙の紙種と、給紙済みかつ画像未形成の用紙である対象用紙の紙種と、を比較し、両者が一致する場合に、当該対象用紙を排出させずに、前記ジャムに起因して形成が必要となる画像を前記対象用紙に形成させ、
前記ジャムに起因して形成が必要となる画像に対応する用紙の紙種と、前記対象用紙の紙種と、が一致しない場合に、前記ジャムに起因して形成が必要となる画像に対応する用紙と紙種が同一の新規用紙を給紙可能であるか否かを判断し、前記新規用紙を給紙可能である場合に、前記ジャムに起因して形成が必要となる画像を前記新規用紙に形成させる画像形成装置。
【請求項５】
用紙を給紙する給紙部、及び、用紙に所定の用紙処理を行う用紙処理部を備える画像形成システムであって、
前記給紙部から給紙された用紙を搬送する搬送部と、
前記搬送部の搬送経路上に位置し、用紙に対して画像形成を行う画像形成部と、
用紙のジャムを検知するジャム検知部と、
前記ジャム検知部によりジャムが検知された場合に、前記搬送部を制御して、給紙済みの用紙を前記用紙処理部の排紙トレイに排出させる制御部と、
を備え、
前記制御部は、前記ジャム検知部によりジャムが検知された場合に、当該ジャムが解除された後に当該ジャムに起因して形成が必要となる画像に対応する用紙の紙種と、給紙済みかつ画像未形成の用紙である対象用紙の紙種と、を比較し、両者が一致する場合に、当該対象用紙を排出させずに、前記ジャムに起因して形成が必要となる画像を前記対象用紙に形成させ、
前記対象用紙が複数枚ある場合に、前記ジャムに起因して形成が必要となる各画像に対応する用紙の紙種と、前記複数枚の対象用紙の各対象用紙の紙種と、を画像形成順に比較する画像形成システム。
【請求項６】
用紙を給紙する給紙部、及び、用紙に所定の用紙処理を行う用紙処理部を備える画像形成システムであって、
前記給紙部から給紙された用紙を搬送する搬送部と、
前記搬送部の搬送経路上に位置し、用紙に対して画像形成を行う画像形成部と、
用紙のジャムを検知するジャム検知部と、
前記ジャム検知部によりジャムが検知された場合に、前記搬送部を制御して、給紙済みの用紙を前記用紙処理部の排紙トレイに排出させる制御部と、
を備え、
前記制御部は、前記ジャム検知部によりジャムが検知された場合に、当該ジャムが解除された後に当該ジャムに起因して形成が必要となる画像に対応する用紙の紙種と、給紙済みかつ画像未形成の用紙である対象用紙の紙種と、を比較し、両者が一致する場合に、当該対象用紙を排出させずに、前記ジャムに起因して形成が必要となる画像を前記対象用紙に形成させ、
前記ジャムに起因して形成が必要となる画像に対応する用紙の紙種と、前記対象用紙の紙種と、が一致しない場合に、前記ジャムに起因して形成が必要となる画像に対応する用紙と紙種が同一の新規用紙を給紙可能であるか否かを判断し、前記新規用紙を給紙可能である場合に、前記ジャムに起因して形成が必要となる画像を前記新規用紙に形成させる画像形成システム。
【請求項７】
給紙された用紙を搬送する搬送部と、前記搬送部の搬送経路上に位置し、用紙に対して画像形成を行う画像形成部と、用紙のジャムを検知するジャム検知部と、前記ジャム検知部によりジャムが検知された場合に、前記搬送部を制御して、給紙済みの用紙を排紙トレイに排出させる制御部と、を備える画像形成装置における画像形成方法であって、
前記制御部が、前記ジャム検知部によりジャムが検知された場合に、当該ジャムが解除された後に当該ジャムに起因して形成が必要となる画像に対応する用紙の紙種と、給紙済みかつ画像未形成の用紙である対象用紙の紙種と、を比較し、両者が一致する場合に、当該対象用紙を排出させずに、前記ジャムに起因して形成が必要となる画像を前記対象用紙に形成させる工程を含み、
前記工程では、前記制御部が、前記対象用紙が複数枚ある場合に、前記ジャムに起因して形成が必要となる各画像に対応する用紙の紙種と、前記複数枚の対象用紙の各対象用紙の紙種と、を画像形成順に比較する画像形成方法。
【請求項８】
給紙された用紙を搬送する搬送部と、前記搬送部の搬送経路上に位置し、用紙に対して画像形成を行う画像形成部と、用紙のジャムを検知するジャム検知部と、前記ジャム検知部によりジャムが検知された場合に、前記搬送部を制御して、給紙済みの用紙を排紙トレイに排出させる制御部と、を備える画像形成装置における画像形成方法であって、
前記制御部が、前記ジャム検知部によりジャムが検知された場合に、当該ジャムが解除された後に当該ジャムに起因して形成が必要となる画像に対応する用紙の紙種と、給紙済みかつ画像未形成の用紙である対象用紙の紙種と、を比較し、両者が一致する場合に、当該対象用紙を排出させずに、前記ジャムに起因して形成が必要となる画像を前記対象用紙に形成させる工程を含み、
前記工程では、前記制御部が、前記ジャムに起因して形成が必要となる画像に対応する用紙の紙種と、前記対象用紙の紙種と、が一致しない場合に、前記ジャムに起因して形成が必要となる画像に対応する用紙と紙種が同一の新規用紙を給紙可能であるか否かを判断し、前記新規用紙を給紙可能である場合に、前記ジャムに起因して形成が必要となる画像を前記新規用紙に形成させる画像形成方法。
【発明の詳細な説明】
【技術分野】
【０００１】
本発明は、画像形成装置、画像形成システム及び画像形成方法に関する。
【背景技術】
【０００２】
従来、画像形成装置においては、用紙の搬送中にジャムが発生した際に、既に給紙されている装置内の全ての用紙を、通常の出力物を排出するための排紙トレイとは別の排紙トレイに強制的に排出する、オートパージ機能が用いられている。オートパージ機能によって排出される用紙はヤレ紙（損紙）となるため、用紙の無駄が多くなる。
【０００３】
また、オートパージ機能を実施する際に、装置内に残留している用紙が再利用可能なものであれば、その残留紙を再利用する機能も知られている。例えば、両面画像形成処理中にジャムが発生したことが検知された場合に、両面のいずれにも画像が形成されていない機内残留紙を、両面画像形成処理を再開する際に利用可能であると判定し、利用不可能と判定された機内残留紙のみを排出する画像形成装置が提案されている（特許文献１参照）。
【先行技術文献】
【特許文献】
【０００４】
【特許文献１】特開２０１３−２３５１３７号公報
【発明の概要】
【発明が解決しようとする課題】
【０００５】
しかしながら、ジャムが発生した際に、装置内に画像が形成されていない用紙が存在していたとしても、当該用紙の紙種（用紙の種類、斤量、サイズ、向き等を含む。）と、ジャムに起因して形成が必要となった画像が形成されるべき用紙の紙種が異なる場合には、装置内に残留している用紙を利用することができないという問題があった。
【０００６】
本発明は、上記の従来技術における問題に鑑みてなされたものであって、オートパージ機能を実施する際のヤレ紙を低減させることを課題とする。
【課題を解決するための手段】
【０００７】
上記課題を解決するために、請求項１に記載の発明は、給紙された用紙を搬送する搬送部と、前記搬送部の搬送経路上に位置し、用紙に対して画像形成を行う画像形成部と、用紙のジャムを検知するジャム検知部と、前記ジャム検知部によりジャムが検知された場合に、前記搬送部を制御して、給紙済みの用紙を排紙トレイに排出させる制御部と、を備える画像形成装置であって、前記制御部は、前記ジャム検知部によりジャムが検知された場合に、当該ジャムが解除された後に当該ジャムに起因して形成が必要となる画像に対応する用紙の紙種と、給紙済みかつ画像未形成の用紙である対象用紙の紙種と、を比較し、両者が一致する場合に、当該対象用紙を排出させずに、前記ジャムに起因して形成が必要となる画像を前記対象用紙に形成させ、前記対象用紙が複数枚ある場合に、前記ジャムに起因して形成が必要となる各画像に対応する用紙の紙種と、前記複数枚の対象用紙の各対象用紙の紙種と、を画像形成順に比較する。
【０００８】
請求項２に記載の発明は、請求項１に記載の画像形成装置において、前記制御部は、前記ジャムに起因して形成が必要となる各画像に対応する用紙の紙種と、前記各対象用紙の紙種と、が画像形成順で全て一致する場合に、前記ジャムに起因して形成が必要となる各画像を前記各対象用紙に形成させる。
【０００９】
請求項３に記載の発明は、請求項１に記載の画像形成装置において、前記制御部は、前記ジャムに起因して形成が必要となる各画像に対応する用紙の紙種と、前記各対象用紙の紙種と、を画像形成順に比較し、前記ジャムに起因して形成が必要となる画像に対応する用紙と紙種が一致しない前記対象用紙及び用紙搬送方向においてその下流に位置する用紙を排出させる処理を行い、排出して残った前記対象用紙に対し、前記処理を繰り返す。
【００１０】
請求項４に記載の発明は、給紙された用紙を搬送する搬送部と、前記搬送部の搬送経路上に位置し、用紙に対して画像形成を行う画像形成部と、用紙のジャムを検知するジャム検知部と、前記ジャム検知部によりジャムが検知された場合に、前記搬送部を制御して、給紙済みの用紙を排紙トレイに排出させる制御部と、を備える画像形成装置であって、前記制御部は、前記ジャム検知部によりジャムが検知された場合に、当該ジャムが解除された後に当該ジャムに起因して形成が必要となる画像に対応する用紙の紙種と、給紙済みかつ画像未形成の用紙である対象用紙の紙種と、を比較し、両者が一致する場合に、当該対象用紙を排出させずに、前記ジャムに起因して形成が必要となる画像を前記対象用紙に形成させ、前記ジャムに起因して形成が必要となる画像に対応する用紙の紙種と、前記対象用紙の紙種と、が一致しない場合に、前記ジャムに起因して形成が必要となる画像に対応する用紙と紙種が同一の新規用紙を給紙可能であるか否かを判断し、前記新規用紙を給紙可能である場合に、前記ジャムに起因して形成が必要となる画像を前記新規用紙に形成させる。
【００１１】
請求項５に記載の発明は、用紙を給紙する給紙部、及び、用紙に所定の用紙処理を行う用紙処理部を備える画像形成システムであって、前記給紙部から給紙された用紙を搬送する搬送部と、前記搬送部の搬送経路上に位置し、用紙に対して画像形成を行う画像形成部と、用紙のジャムを検知するジャム検知部と、前記ジャム検知部によりジャムが検知された場合に、前記搬送部を制御して、給紙済みの用紙を前記用紙処理部の排紙トレイに排出させる制御部と、を備え、前記制御部は、前記ジャム検知部によりジャムが検知された場合に、当該ジャムが解除された後に当該ジャムに起因して形成が必要となる画像に対応する用紙の紙種と、給紙済みかつ画像未形成の用紙である対象用紙の紙種と、を比較し、両者が一致する場合に、当該対象用紙を排出させずに、前記ジャムに起因して形成が必要となる画像を前記対象用紙に形成させ、前記対象用紙が複数枚ある場合に、前記ジャムに起因して形成が必要となる各画像に対応する用紙の紙種と、前記複数枚の対象用紙の各対象用紙の紙種と、を画像形成順に比較する。
【００１２】
請求項６に記載の発明は、用紙を給紙する給紙部、及び、用紙に所定の用紙処理を行う用紙処理部を備える画像形成システムであって、前記給紙部から給紙された用紙を搬送する搬送部と、前記搬送部の搬送経路上に位置し、用紙に対して画像形成を行う画像形成部と、用紙のジャムを検知するジャム検知部と、前記ジャム検知部によりジャムが検知された場合に、前記搬送部を制御して、給紙済みの用紙を前記用紙処理部の排紙トレイに排出させる制御部と、を備え、前記制御部は、前記ジャム検知部によりジャムが検知された場合に、当該ジャムが解除された後に当該ジャムに起因して形成が必要となる画像に対応する用紙の紙種と、給紙済みかつ画像未形成の用紙である対象用紙の紙種と、を比較し、両者が一致する場合に、当該対象用紙を排出させずに、前記ジャムに起因して形成が必要となる画像を前記対象用紙に形成させ、前記ジャムに起因して形成が必要となる画像に対応する用紙の紙種と、前記対象用紙の紙種と、が一致しない場合に、前記ジャムに起因して形成が必要となる画像に対応する用紙と紙種が同一の新規用紙を給紙可能であるか否かを判断し、前記新規用紙を給紙可能である場合に、前記ジャムに起因して形成が必要となる画像を前記新規用紙に形成させる。
【００１３】
請求項７に記載の発明は、給紙された用紙を搬送する搬送部と、前記搬送部の搬送経路上に位置し、用紙に対して画像形成を行う画像形成部と、用紙のジャムを検知するジャム検知部と、前記ジャム検知部によりジャムが検知された場合に、前記搬送部を制御して、給紙済みの用紙を排紙トレイに排出させる制御部と、を備える画像形成装置における画像形成方法であって、前記制御部が、前記ジャム検知部によりジャムが検知された場合に、当該ジャムが解除された後に当該ジャムに起因して形成が必要となる画像に対応する用紙の紙種と、給紙済みかつ画像未形成の用紙である対象用紙の紙種と、を比較し、両者が一致する場合に、当該対象用紙を排出させずに、前記ジャムに起因して形成が必要となる画像を前記対象用紙に形成させる工程を含み、前記工程では、前記制御部が、前記対象用紙が複数枚ある場合に、前記ジャムに起因して形成が必要となる各画像に対応する用紙の紙種と、前記複数枚の対象用紙の各対象用紙の紙種と、を画像形成順に比較する。
請求項８に記載の発明は、給紙された用紙を搬送する搬送部と、前記搬送部の搬送経路上に位置し、用紙に対して画像形成を行う画像形成部と、用紙のジャムを検知するジャム検知部と、前記ジャム検知部によりジャムが検知された場合に、前記搬送部を制御して、給紙済みの用紙を排紙トレイに排出させる制御部と、を備える画像形成装置における画像形成方法であって、前記制御部が、前記ジャム検知部によりジャムが検知された場合に、当該ジャムが解除された後に当該ジャムに起因して形成が必要となる画像に対応する用紙の紙種と、給紙済みかつ画像未形成の用紙である対象用紙の紙種と、を比較し、両者が一致する場合に、当該対象用紙を排出させずに、前記ジャムに起因して形成が必要となる画像を前記対象用紙に形成させる工程を含み、前記工程では、前記制御部が、前記ジャムに起因して形成が必要となる画像に対応する用紙の紙種と、前記対象用紙の紙種と、が一致しない場合に、前記ジャムに起因して形成が必要となる画像に対応する用紙と紙種が同一の新規用紙を給紙可能であるか否かを判断し、前記新規用紙を給紙可能である場合に、前記ジャムに起因して形成が必要となる画像を前記新規用紙に形成させる。
【発明の効果】
【００１４】
本発明によれば、オートパージ機能を実施する際のヤレ紙を低減させることができる。
【図面の簡単な説明】
【００１５】
【図１】本発明の第１の実施の形態における画像形成装置の概略構成図である。
【図２】画像形成装置の機能的構成を示すブロック図である。
【図３】第１の実施の形態の画像形成装置において実行される第１のジャム発生時処理を示すフローチャートである。
【図４】ジャム発生例Ａを示す図である。
【図５】ジャム発生例Ａにおいて、使用される予定のない給紙済み用紙が排出された状態を示す図である。
【図６】第２の実施の形態の画像形成装置において実行される第２のジャム発生時処理を示すフローチャートである。
【図７】ジャム発生例Ｂを示す図である。
【図８】第３の実施の形態の画像形成装置において実行される第３のジャム発生時処理を示すフローチャートである。
【図９】ジャム発生例Ｃを示す図である。
【図１０】ジャム発生例Ｄを示す図である。
【発明を実施するための形態】
【００１６】
［第１の実施の形態］
まず、図１〜図５を参照して、本発明に係る画像形成装置の第１の実施の形態について説明する。なお、本発明は、図示例に限定されるものではない。
【００１７】
図１は、画像形成装置１００の概略構成図である。
画像形成装置１００は、原稿から画像を読み取って得られた画像データ、又は、外部装置から受信した画像データに基づいて、電子写真方式により、カラー画像を形成するタンデム型のカラー画像形成装置である。
画像形成装置１００は、画像形成部１０、給紙部２０、用紙処理部３０を備える。
【００１８】
画像形成部１０は、用紙の搬送経路上に位置し、給紙部２０から給紙された用紙に対して画像形成を行う。
画像形成部１０は、イエロー（Ｙ）、マゼンタ（Ｍ）、シアン（Ｃ）、ブラック（Ｋ）の各色に対応する感光体ドラム４１Ｙ，４１Ｍ，４１Ｃ，４１Ｋ及び１次転写ローラー４２Ｙ，４２Ｍ，４２Ｃ，４２Ｋ、中間転写ベルト４３、２次転写ローラー４４、定着部４５、レジストローラー４６等を備える。
【００１９】
感光体ドラム４１Ｙは、一様に帯電された後、イエロー色の画像データに基づいてレーザービームにより走査露光され、静電潜像が形成される。そして、感光体ドラム４１Ｙ上の静電潜像にイエロー色のトナーが付着され、現像が行われる。
感光体ドラム４１Ｍ，４１Ｃ，４１Ｋについても、扱う色が異なることを除いて、感光体ドラム４１Ｙと同様であるため、説明を省略する。
【００２０】
感光体ドラム４１Ｙ，４１Ｍ，４１Ｃ，４１Ｋ上に形成された各色のトナー像は、１次転写ローラー４２Ｙ，４２Ｍ，４２Ｃ，４２Ｋにより、回転する中間転写ベルト４３上に逐次転写される（１次転写）。すなわち、中間転写ベルト４３上には、４色のトナー像が重ね合わされたカラートナー像が形成される。
中間転写ベルト４３上のカラートナー像は、２次転写ローラー４４により、用紙上に一括して転写される（２次転写）。
【００２１】
定着部４５は、カラートナー像が転写された用紙を加熱する加熱ローラー、当該用紙を加圧する加圧ローラーを備え、加熱・加圧によりカラートナー像を用紙に定着させる。
【００２２】
レジストローラー４６は、用紙の先端位置を揃え、中間転写ベルト４３から用紙上にカラートナー像が転写される転写位置（画像形成位置）に用紙を送り出すためのローラーである。
【００２３】
給紙部２０は、複数の給紙トレイＴ１〜Ｔ９を備え、用紙を給紙する。給紙トレイＴ１〜Ｔ９には、給紙トレイ毎に予め定められた紙種の用紙が収納されている。ここで、紙種には、用紙の種類（普通紙、上質紙、再生紙、塗工紙等）、斤量（厚さ）、サイズ、向き等が含まれる。
【００２４】
用紙処理部３０は、画像形成部１０により画像形成が行われた用紙に対して、必要に応じてソート処理、ステイプル処理、パンチ穴開け処理、折り処理、製本処理等の用紙処理を行う。用紙処理部３０は、用紙を排紙トレイＴ１１又は排紙トレイＴ１２に排出する。
【００２５】
図２は、画像形成装置１００の機能的構成を示すブロック図である。
図２に示すように、画像形成装置１００は、制御部１１、操作部１２、表示部１３、記憶部１４、通信部１５、画像読取部１６、画像形成部１０、給紙部２０、用紙処理部３０、搬送部１７、ジャム検知部１８等を備える。なお、既に説明した機能部については、説明を省略する。
【００２６】
制御部１１は、ＣＰＵ（Central Processing Unit）、ＲＯＭ（Read Only Memory）、ＲＡＭ（Random Access Memory）等により構成される。ＣＰＵは、操作部１２から入力される操作信号又は通信部１５により受信される指示信号に応じて、ＲＯＭに記憶されている各種処理プログラムを読み出してＲＡＭに展開し、展開されたプログラムに従って、画像形成装置１００の各部の動作を集中制御する。
【００２７】
操作部１２は、表示部１３の表示画面上を覆うように形成されたタッチパネルや、数字ボタン、スタートボタン等の各種操作ボタンを備え、ユーザーの操作に基づく操作信号を制御部１１に出力する。
【００２８】
表示部１３は、ＬＣＤ（Liquid Crystal Display）により構成され、制御部１１から入力される表示信号の指示に従って各種画面を表示する。
【００２９】
記憶部１４は、ハードディスクやフラッシュメモリー等により構成され、各種データを記憶する。
例えば、記憶部１４には、ジョブ情報が記憶される。ジョブ情報には、画像を形成するための画像データと、用紙の紙種と、が画像形成順に対応付けられている。
また、記憶部１４には、用紙使用予定テーブルが記憶される。用紙使用予定テーブルには、ジャムが解除された後に当該ジャムに起因して形成が必要となる画像を示す情報と、使用される用紙又は給紙トレイを示す情報と、が画像形成順に対応付けられる。
【００３０】
通信部１５は、ＬＡＮ（Local Area Network）等の通信ネットワークに接続された外部装置との間でデータの送受信を行う。
【００３１】
画像読取部１６は、ＡＤＦ（自動原稿給紙装置）、スキャナー等を備え、原稿の画像を読み取って得られた画像データを制御部１１に出力する。
【００３２】
搬送部１７は、用紙を搬送するための搬送ローラーを備え、給紙部２０の給紙トレイＴ１〜Ｔ９に収納された用紙を画像形成部１０に供給し、画像形成後の用紙を排紙トレイＴ１１，Ｔ１２に排出するまで、画像形成装置１００内において用紙を搬送する。
【００３３】
ジャム検知部１８は、用紙の搬送経路に設けられた用紙の有無を検知する複数のセンサーを備えて構成され、ジャムの発生及びその位置を検知する。例えば、ジャム検知部１８は、用紙が搬送経路上の一のセンサーを通過してから、所定時間の経過後も、一つ下流側のセンサーに到達したことが検知されなかった場合に、ジャムとして検知する。
【００３４】
制御部１１は、ジャム検知部１８によりジャムが検知された場合に、ジャムが発生した際に既に給紙されている用紙（以下、給紙済み用紙という。）を装置外に排出可能な搬送経路があるか否かを判断する。制御部１１は、給紙済み用紙を装置外に排出可能な搬送経路がある場合に、搬送部１７を制御して、給紙済み用紙が当該搬送経路を通過するよう搬送させ、給紙済み用紙を排出可能な排紙トレイに排出させる（オートパージ機能）。例えば、制御部１１は、給紙済み用紙を、通常使用されている排紙トレイＴ１１とは別の排紙トレイＴ１２に排出させる。
【００３５】
制御部１１は、ジャム検知部１８によりジャムが検知された場合に、当該ジャムが解除された後に当該ジャムに起因して形成が必要となる画像に対応する用紙の紙種と、給紙済みかつ画像未形成の用紙である対象用紙の紙種と、を比較する。ジャムに起因して形成が必要となる画像とは、ジャムと判断された用紙（以下、ジャム紙という。）及び用紙搬送方向においてジャム紙の上流に位置する給紙済み用紙に対応する画像である。また、画像未形成の用紙であるか否かの判断については、例えば、用紙の搬送経路において用紙全体がレジストローラー４６より上流にある場合に、画像が未形成であることとして扱うが、他の方法を用いてもよい。
制御部１１は、ジャムに起因して形成が必要となる画像に対応する用紙の紙種と、対象用紙の紙種と、が一致する場合に、搬送部１７及び画像形成部１０を制御して、当該対象用紙を排出させずに、ジャムに起因して形成が必要となる画像を対象用紙に形成させる。
【００３６】
制御部１１は、対象用紙が複数枚ある場合に、ジャムに起因して形成が必要となる各画像に対応する用紙の紙種と、複数枚の対象用紙の各対象用紙の紙種と、を画像形成順に比較する。
制御部１１は、ジャムに起因して形成が必要となる各画像に対応する用紙の紙種と、各対象用紙の紙種と、が画像形成順で全て一致する場合に、ジャムに起因して形成が必要となる各画像を各対象用紙に形成させる。
【００３７】
次に、第１の実施の形態の画像形成装置１００における動作について説明する。
図３は、画像形成装置１００において実行される第１のジャム発生時処理を示すフローチャートである。この処理は、制御部１１のＣＰＵとＲＯＭに記憶されているプログラムとの協働によるソフトウェア処理によって実現される。
【００３８】
まず、制御部１１は、ジャム検知部１８によりジャムの発生が検知されたか否かを判断する（ステップＳ１）。ジャム検知部１８によりジャムの発生が検知された場合には（ステップＳ１；ＹＥＳ）、制御部１１は、ジャムが発生した際に搬送経路内に残留している各給紙済み用紙の位置と紙種とを取得し、記憶部１４に記憶させる。制御部１１は、給紙済み用紙の位置については、ジャム検知部１８から取得し、給紙済み用紙の紙種については、ジョブ情報から取得する。ジャム紙は、ユーザーにより除去される。
【００３９】
次に、制御部１１は、ジャムが解除された後にジャムに起因して形成が必要となる画像の画像形成順（用紙位置順）を示すリカバリー紙番号を、ジャム解除後最初に形成される画像に対応する（ｎ−ｉ）に設定し、対象用紙の搬送順・給紙順（画像形成順）を示す対象用紙番号を、対象用紙のうち最下流に位置する用紙に対応する（ｎ−ｊ）に設定する（ステップＳ２）。最下流とは、用紙搬送方向において最も排紙口（排紙トレイＴ１１，Ｔ１２）側をいう。
【００４０】
次に、制御部１１は、（ｎ−ｉ）番目の画像が形成される予定であった用紙Ｐ（ｎ−ｉ）の紙種と、（ｎ−ｊ）番目の画像が形成される予定であった用紙Ｐ（ｎ−ｊ）の紙種と、を比較し、用紙Ｐ（ｎ−ｉ）の紙種と用紙Ｐ（ｎ−ｊ）の紙種とが一致するか否かを判断する（ステップＳ３）。
【００４１】
用紙Ｐ（ｎ−ｉ）の紙種と用紙Ｐ（ｎ−ｊ）の紙種とが一致する場合には（ステップＳ３；ＹＥＳ）、制御部１１は、（ｎ−ｉ）番目の画像が形成される用紙として、用紙Ｐ（ｎ−ｊ）を予定する（ステップＳ４）。制御部１１は、（ｎ−ｉ）番目の画像を示す情報と、用紙Ｐ（ｎ−ｊ）を示す情報と、を対応付けて、記憶部１４の用紙使用予定テーブルに格納させる。
【００４２】
次に、制御部１１は、次の対象用紙があるか否かを判断する（ステップＳ５）。次の対象用紙は、用紙Ｐ（ｎ−ｊ）の次に給紙された用紙である。
【００４３】
次の対象用紙がある場合には（ステップＳ５；ＹＥＳ）、ｉの値及びｊの値を１だけデクリメントし（ステップＳ６）、ステップＳ３に戻る。すなわち、制御部１１は、変更されたｉの値及びｊの値を用いて、用紙Ｐ（ｎ−ｉ）の紙種と用紙Ｐ（ｎ−ｊ）の紙種とが一致するか否かを判断する。
【００４４】
ステップＳ５において、次の対象用紙がない場合には（ステップＳ５；ＮＯ）、制御部１１は、記憶部１４の用紙使用予定テーブルを参照して、使用される予定のある用紙を除く給紙済み用紙を、通常使用されている排紙トレイＴ１１とは別の排紙トレイＴ１２に排出させるよう、搬送部１７を制御する（ステップＳ７）。
【００４５】
ステップＳ３において、用紙Ｐ（ｎ−ｉ）の紙種と用紙Ｐ（ｎ−ｊ）の紙種とが一致しない場合には（ステップＳ３；ＮＯ）、制御部１１は、全ての給紙済み用紙を排紙トレイＴ１２に排出させるよう、搬送部１７を制御する（ステップＳ８）。
【００４６】
ステップＳ７又はステップＳ８の後、制御部１１は、画像形成部１０及び搬送部１７を制御して、画像形成を再開させる（ステップＳ９）。具体的には、制御部１１は、ジャムに起因して形成が必要となる各画像に対応する用紙の紙種と、各対象用紙の紙種と、が画像形成順で全て一致する場合には、ジャムに起因して形成が必要となる画像を順に、対象用紙に形成させる。一方、制御部１１は、ジャムに起因して形成が必要となる各画像に対応する用紙と、各対象用紙と、を画像形成順に比較し、紙種が一致しない用紙が存在する場合には、新規に用紙を給紙させ、ジャムに起因して形成が必要となる画像を順に、新規に給紙された用紙に形成させる。
以上で、第１のジャム発生時処理が終了する。
【００４７】
（ジャム発生例Ａ）
図４に、ジャム発生例Ａとして、２種類の紙種（紙種Ｑ、紙種Ｒ）が混在したジョブを出力している際に、用紙Ｐ（ｎ−４）でジャムが発生した場合の例を示す。図４において、用紙Ｐ（ｎ−４）、用紙Ｐ（ｎ−２）、用紙Ｐ（ｎ）は、給紙トレイＴ９から給紙された紙種Ｑの用紙であり、用紙Ｐ（ｎ−３）、用紙Ｐ（ｎ−１）は、給紙トレイＴ４から給紙された紙種Ｒの用紙である。
【００４８】
図４の状況下では、図３のステップＳ２において設定されるリカバリー紙番号は、ジャム発生時に装置内に残留している排紙口に一番近い用紙に対応する（ｎ−４）である（ｉ＝４）。また、対象用紙番号は、レジストローラー４６より上流に位置する用紙のうち最下流の用紙に対応する（ｎ−２）である（ｊ＝２）。
【００４９】
用紙Ｐ（ｎ−４）の紙種Ｑと用紙Ｐ（ｎ−２）の紙種Ｑが一致しているため（ステップＳ３；ＹＥＳ）、用紙Ｐ（ｎ−２）は、（ｎ−４）番目の画像を形成するために使用されることとなる（ステップＳ４）。用紙Ｐ（ｎ−２）の次の対象用紙である用紙Ｐ（ｎ−１）が存在するため（ステップＳ５；ＹＥＳ）、ｉ＝３、ｊ＝１に設定し直され（ステップＳ６）、用紙Ｐ（ｎ−３）と用紙Ｐ（ｎ−１）の紙種が比較される（ステップＳ３）。
【００５０】
用紙Ｐ（ｎ−３）の紙種Ｒと用紙Ｐ（ｎ−１）の紙種Ｒが一致しているため（ステップＳ３；ＹＥＳ）、用紙Ｐ（ｎ−１）は、（ｎ−３）番目の画像を形成するために使用されることとなる（ステップＳ４）。用紙Ｐ（ｎ−１）の次の対象用紙である用紙Ｐ（ｎ）が存在するため（ステップＳ５；ＹＥＳ）、ｉ＝２、ｊ＝０に設定し直され（ステップＳ６）、用紙Ｐ（ｎ−２）と用紙Ｐ（ｎ）の紙種が比較される（ステップＳ３）。
【００５１】
用紙Ｐ（ｎ−２）の紙種Ｑと用紙Ｐ（ｎ）の紙種Ｑが一致しているため（ステップＳ３；ＹＥＳ）、用紙Ｐ（ｎ）は、（ｎ−２）番目の画像を形成するために使用されることとなる（ステップＳ４）。用紙Ｐ（ｎ）の次の対象用紙は存在しないため（ステップＳ５；ＮＯ）、使用される予定のある用紙を除く給紙済み用紙、すなわち、レジストローラー４６より下流の用紙Ｐ（ｎ−３）が、通常使用されている排紙トレイＴ１１とは別の排紙トレイＴ１２に排出される（ステップＳ７）。
【００５２】
図５に、用紙Ｐ（ｎ−３）が排紙トレイＴ１２に排出された状態を示す。画像形成が再開されると（ステップＳ９）、用紙Ｐ（ｎ−２）、用紙（ｎ−１）、用紙Ｐ（ｎ）のそれぞれに対して、（ｎ−４）番目の画像、（ｎ−３）番目の画像、（ｎ−２）番目の画像が形成される。（ｎ−１）番目の画像、（ｎ）番目の画像については、給紙からやり直されて、画像形成が行われる。
【００５３】
なお、ジャム発生時に、画像形成装置１００内の搬送経路において、ジャム紙より下流に位置する用紙が存在する場合には、この下流の用紙に対する画像形成動作を最後まで終了させ、通常の排紙トレイＴ１１に排出すればよい。
【００５４】
以上説明したように、第１の実施の形態によれば、ジャムに起因して形成が必要となる画像に対応する用紙の紙種と、対象用紙の紙種と、を比較し、両者が一致する場合に、対象用紙を排出させずに、ジャムに起因して形成が必要となる画像を対象用紙に形成させるので、全ての給紙済み用紙を排出させた場合と比較して、オートパージ機能を実施する際のヤレ紙を低減させることができる。
【００５５】
また、対象用紙が複数枚ある場合には、ジャムに起因して形成が必要となる各画像に対応する用紙の紙種と、各対象用紙の紙種と、を画像形成順に比較して、対象用紙を利用することができる。
また、ジャムに起因して形成が必要となる各画像に対応する用紙の紙種と、各対象用紙の紙種と、が画像形成順で全て一致する場合に、ジャムに起因して形成が必要となる各画像を各対象用紙に形成させるので、複数の対象用紙を並び順に利用することができる。
【００５６】
［第２の実施の形態］
次に、本発明を適用した第２の実施の形態について説明する。
第２の実施の形態における画像形成装置２００は、第１の実施の形態に示した画像形成装置１００と同様の構成によってなるため、図１及び図２を援用し、その構成については図示及び説明を省略する。以下、第２の実施の形態に特徴的な構成及び処理について説明する。
【００５７】
制御部１１は、ジャムに起因して形成が必要となる各画像に対応する用紙の紙種と、各対象用紙の紙種と、を画像形成順に比較し、ジャムに起因して形成が必要となる画像に対応する用紙と紙種が一致しない対象用紙及び用紙搬送方向においてその下流に位置する用紙を排出させる処理を行い、排出して残った対象用紙に対し、同様の処理を繰り返す。
【００５８】
次に、第２の実施の形態の画像形成装置２００における動作について説明する。
図６は、画像形成装置２００において実行される第２のジャム発生時処理を示すフローチャートである。この処理は、制御部１１のＣＰＵとＲＯＭに記憶されているプログラムとの協働によるソフトウェア処理によって実現される。
【００５９】
ステップＳ１１〜ステップＳ１７の処理は、図３の第１のジャム発生時処理に示したステップＳ１〜ステップＳ７の処理と同様であるため、説明を省略する。
【００６０】
ステップＳ１３において、用紙Ｐ（ｎ−ｉ）の紙種と用紙Ｐ（ｎ−ｊ）の紙種とが一致しない場合には（ステップＳ１３；ＮＯ）、制御部１１は、用紙Ｐ（ｎ−ｊ）と、用紙Ｐ（ｎ−ｊ）の下流に位置する全ての用紙と、を排紙トレイＴ１２に排出させるよう、搬送部１７を制御する（ステップＳ１８）。ここで、制御部１１は、記憶部１４に記憶されている用紙使用予定テーブルの情報を消去する。
【００６１】
次に、制御部１１は、ｉの値を初期値に設定する（ステップＳ１９）。具体的には、制御部１１は、ｉの値を、ステップＳ１２で設定されたｉの値に再設定する。
【００６２】
次に、制御部１１は、次の対象用紙があるか否かを判断する（ステップＳ２０）。次の対象用紙がある場合には（ステップＳ２０；ＹＥＳ）、ｊの値を１だけデクリメントし（ステップＳ２１）、ステップＳ１３に戻る。すなわち、制御部１１は、初期値に設定し直されたｉの値及び変更されたｊの値を用いて、用紙Ｐ（ｎ−ｉ）の紙種と用紙Ｐ（ｎ−ｊ）の紙種とが一致するか否かを判断する。
【００６３】
ステップＳ１７の後、又は、ステップＳ２０において、次の対象用紙がない場合には（ステップＳ２０；ＮＯ）、制御部１１は、画像形成部１０及び搬送部１７を制御して、画像形成を再開させる（ステップＳ２２）。具体的には、制御部１１は、対象用紙が、ジャムに起因して形成が必要となる画像に対応する用紙の紙種と同じ順序で並んでいる分については、対象用紙を利用し、対象用紙で不足する分については、新規に用紙を給紙させて、ジャムに起因して形成が必要となる画像を順に、用紙に形成させる。
以上で、第２のジャム発生時処理が終了する。
【００６４】
（ジャム発生例Ｂ）
図７に、ジャム発生例Ｂとして、２種類の紙種（紙種Ｑ、紙種Ｒ）が混在したジョブを出力している際に、用紙Ｐ（ｎ−４）でジャムが発生した場合の例を示す。図７において、用紙Ｐ（ｎ−４）、用紙Ｐ（ｎ−２）、用紙Ｐ（ｎ）は、給紙トレイＴ９から給紙された紙種Ｑの用紙であり、用紙Ｐ（ｎ−３）、用紙Ｐ（ｎ−１）は、給紙トレイＴ４から給紙された紙種Ｒの用紙である。
【００６５】
図７の状況下では、図６のステップＳ１２において設定されるリカバリー紙番号は（ｎ−４）であり（ｉ＝４）、対象用紙番号は（ｎ−１）である（ｊ＝１）。用紙Ｐ（ｎ−２）については、その一部がレジストローラー４６を通過しているため、画像形成済みであると判断される。
【００６６】
用紙Ｐ（ｎ−４）の紙種Ｑと用紙Ｐ（ｎ−１）の紙種Ｒが一致しないため（ステップＳ１３；ＮＯ）、用紙Ｐ（ｎ−１）と、用紙Ｐ（ｎ−１）の下流に位置する用紙Ｐ（ｎ−２）及び用紙Ｐ（ｎ−３）と、が排紙トレイＴ１２に排出される（ステップＳ１８）。
【００６７】
次に、ｉの値が初期値である４に設定し直される（ステップＳ１９）。また、用紙Ｐ（ｎ−１）の次の対象用紙である用紙Ｐ（ｎ）が存在するため（ステップＳ２０；ＹＥＳ）、ｊ＝０に設定し直され（ステップＳ２１）、用紙Ｐ（ｎ−４）と用紙Ｐ（ｎ）の紙種が比較される（ステップＳ１３）。
【００６８】
用紙Ｐ（ｎ−４）の紙種Ｑと用紙Ｐ（ｎ）の紙種Ｑが一致しているため（ステップＳ１３；ＹＥＳ）、用紙Ｐ（ｎ）は、（ｎ−４）番目の画像を形成するために使用されることとなる（ステップＳ１４）。用紙Ｐ（ｎ）の次の対象用紙は存在しないため（ステップＳ１５；ＮＯ）、ステップＳ１７に進むが、既に用紙Ｐ（ｎ−３）〜用紙Ｐ（ｎ−１）が排出されているため、ここで排出される用紙はない。
【００６９】
画像形成が再開されると（ステップＳ２２）、用紙Ｐ（ｎ）に対して、（ｎ−４）番目の画像が形成される。（ｎ−３）番目の画像、（ｎ−２）番目の画像、（ｎ−１）番目の画像、（ｎ）番目の画像については、給紙からやり直されて、画像形成が行われる。
【００７０】
図７では、用紙Ｐ（ｎ−１）と用紙Ｐ（ｎ−４）の紙種は一致しないが、用紙Ｐ（ｎ−１）より上流にある用紙Ｐ（ｎ）の紙種が用紙Ｐ（ｎ−４）の紙種と一致しているため、用紙Ｐ（ｎ）については、（ｎ−４）番目の画像の形成に使用され、用紙Ｐ（ｎ）より下流の給紙済み用紙（用紙Ｐ（ｎ−３）〜用紙Ｐ（ｎ−１））については、排紙トレイＴ１２に排出される。
【００７１】
以上説明したように、第２の実施の形態によれば、ジャムに起因して形成が必要となる画像に対応する用紙の紙種と、対象用紙の紙種と、を比較し、両者が一致する場合に、対象用紙を排出させずに、ジャムに起因して形成が必要となる画像を対象用紙に形成させるので、全ての給紙済み用紙を排出させた場合と比較して、オートパージ機能を実施する際のヤレ紙を低減させることができる。
【００７２】
また、対象用紙が複数枚ある場合に、ジャムに起因して形成が必要となる各画像に対応する用紙の紙種と、各対象用紙の紙種と、を画像形成順に比較し、利用できない対象用紙及びその下流に位置する用紙については排出させるので、利用可能な対象用紙があるか否かを繰り返し判断することができる。
【００７３】
［第３の実施の形態］
次に、本発明を適用した第３の実施の形態について説明する。
第３の実施の形態における画像形成装置３００は、第１の実施の形態に示した画像形成装置１００と同様の構成によってなるため、図１及び図２を援用し、その構成については図示及び説明を省略する。以下、第３の実施の形態に特徴的な構成及び処理について説明する。
【００７４】
制御部１１は、ジャムに起因して形成が必要となる画像に対応する用紙の紙種と、対象用紙の紙種と、が一致しない場合に、ジャムに起因して形成が必要となる画像に対応する用紙と紙種が同一の新規用紙を給紙可能であるか否かを判断する。制御部１１は、ジャムに起因して形成が必要となる画像に対応する用紙と紙種が同一の新規用紙を給紙可能である場合に、搬送部１７及び画像形成部１０を制御して、ジャムに起因して形成が必要となる画像を新規用紙に形成させる。
【００７５】
次に、第３の実施の形態の画像形成装置３００における動作について説明する。
図８は、画像形成装置３００において実行される第３のジャム発生時処理を示すフローチャートである。この処理は、制御部１１のＣＰＵとＲＯＭに記憶されているプログラムとの協働によるソフトウェア処理によって実現される。
【００７６】
ステップＳ３１〜ステップＳ３７の処理は、図３の第１のジャム発生時処理に示したステップＳ１〜ステップＳ７の処理と同様であるため、説明を省略する。
【００７７】
ステップＳ３３において、用紙Ｐ（ｎ−ｉ）の紙種と用紙Ｐ（ｎ−ｊ）の紙種とが一致しない場合には（ステップＳ３３；ＮＯ）、制御部１１は、用紙Ｐ（ｎ−ｉ）と同一紙種の用紙を、用紙Ｐ（ｎ−ｉ）が給紙された給紙トレイと同一の給紙トレイ（予め設定されていた給紙トレイ）から挿入可能であるか否かを判断する（ステップＳ３８）。具体的には、制御部１１は、搬送経路に残留している用紙が該当する給紙トレイからの給紙を妨げることなく、（ｎ−ｉ）番目の画像が形成される用紙として、該当する給紙トレイから用紙を給紙することができるか否かを判断する。
【００７８】
用紙Ｐ（ｎ−ｉ）と同一紙種の用紙を、予め設定されていた給紙トレイから挿入可能でない場合には（ステップＳ３８；ＮＯ）、制御部１１は、用紙Ｐ（ｎ−ｉ）と同一紙種の用紙を、予め設定されていた給紙トレイとは別の給紙トレイから挿入可能であるか否かを判断する（ステップＳ３９）。具体的には、制御部１１は、搬送経路に残留している用紙が存在していても、用紙Ｐ（ｎ−ｉ）と同一紙種の用紙を別の給紙トレイから給紙可能な搬送経路があるか否かを判断する。
【００７９】
用紙Ｐ（ｎ−ｉ）と同一紙種の用紙を、別の給紙トレイから挿入可能でない場合には（ステップＳ３９；ＮＯ）、制御部１１は、用紙Ｐ（ｎ−ｊ）と、用紙Ｐ（ｎ−ｊ）の下流に位置する全ての用紙と、を排紙トレイＴ１２に排出させるよう、搬送部１７を制御する（ステップＳ４０）。ここで、制御部１１は、記憶部１４に記憶されている用紙使用予定テーブルの情報を消去する。
【００８０】
次に、制御部１１は、ｉの値を初期値に設定する（ステップＳ４１）。具体的には、制御部１１は、ｉの値を、ステップＳ３２で設定されたｉの値に再設定する。
【００８１】
次に、制御部１１は、次の対象用紙があるか否かを判断する（ステップＳ４２）。次の対象用紙がある場合には（ステップＳ４２；ＹＥＳ）、ｊの値を１だけデクリメントし（ステップＳ４３）、ステップＳ３３に戻る。すなわち、制御部１１は、初期値に設定し直されたｉの値及び変更されたｊの値を用いて、用紙Ｐ（ｎ−ｉ）の紙種と用紙Ｐ（ｎ−ｊ）の紙種とが一致するか否かを判断する。
【００８２】
ステップＳ３８において、用紙Ｐ（ｎ−ｉ）と同一紙種の用紙を、予め設定されていた給紙トレイから挿入可能である場合には（ステップＳ３８；ＹＥＳ）、制御部１１は、（ｎ−ｉ）番目の画像が形成される用紙として、予め設定されていた給紙トレイから新規に給紙される用紙を予定する（ステップＳ４４）。制御部１１は、（ｎ−ｉ）番目の画像を示す情報と、予め設定されていた給紙トレイを示す情報と、を対応付けて、記憶部１４の用紙使用予定テーブルに格納させる。
【００８３】
ステップＳ３９において、用紙Ｐ（ｎ−ｉ）と同一紙種の用紙を、別の給紙トレイから挿入可能である場合には（ステップＳ３９；ＹＥＳ）、制御部１１は、（ｎ−ｉ）番目の画像が形成される用紙として、別の給紙トレイから新規に給紙される用紙を予定する（ステップＳ４４）。制御部１１は、（ｎ−ｉ）番目の画像を示す情報と、別の給紙トレイを示す情報と、を対応付けて、記憶部１４の用紙使用予定テーブルに格納させる。
【００８４】
ステップＳ４４の後、制御部１１は、ｉの値を１だけデクリメントし（ステップＳ４５）、ステップＳ３３に戻る。すなわち、制御部１１は、変更されたｉの値及び現状のｊの値を用いて、用紙Ｐ（ｎ−ｉ）の紙種と用紙Ｐ（ｎ−ｊ）の紙種とが一致するか否かを判断する。
【００８５】
ステップＳ３７の後、又は、ステップＳ４２において、次の対象用紙がない場合には（ステップＳ４２；ＮＯ）、制御部１１は、画像形成部１０及び搬送部１７を制御して、画像形成を再開させる（ステップＳ４６）。具体的には、制御部１１は、ジャムに起因して形成が必要となる画像を順に、対象用紙又は新規に給紙された用紙に形成させる。
以上で、第３のジャム発生時処理が終了する。
【００８６】
（ジャム発生例Ｃ）
図９に、ジャム発生例Ｃとして、２種類の紙種（紙種Ｑ、紙種Ｒ）が混在したジョブを出力している際に、用紙Ｐ（ｎ−４）でジャムが発生した場合の例を示す。図９において、用紙Ｐ（ｎ−４）、用紙Ｐ（ｎ−３）、用紙Ｐ（ｎ−２）、用紙Ｐ（ｎ−１）は、給紙トレイＴ９から給紙された紙種Ｑの用紙であり、用紙Ｐ（ｎ）は、給紙トレイＴ４から給紙された紙種Ｒの用紙である。ここで、用紙Ｐ（ｎ）は、給紙トレイＴ９から給紙された用紙が搬送される搬送経路５１に合流する手前の搬送経路５２に残留している。
【００８７】
図９の状況下では、図８のステップＳ３２において設定されるリカバリー紙番号は（ｎ−４）であり（ｉ＝４）、対象用紙番号は（ｎ−１）である（ｊ＝１）。
【００８８】
用紙Ｐ（ｎ−４）の紙種Ｑと用紙Ｐ（ｎ−１）の紙種Ｑが一致しているため（ステップＳ３３；ＹＥＳ）、用紙Ｐ（ｎ−１）は、（ｎ−４）番目の画像を形成するために使用されることとなる（ステップＳ３４）。用紙Ｐ（ｎ−１）の次の対象用紙である用紙Ｐ（ｎ）が存在するため（ステップＳ３５；ＹＥＳ）、ｉ＝３、ｊ＝０に設定し直され（ステップＳ３６）、用紙Ｐ（ｎ−３）と用紙Ｐ（ｎ）の紙種が比較される（ステップＳ３３）。
【００８９】
用紙Ｐ（ｎ−３）の紙種Ｑと用紙Ｐ（ｎ）の紙種Ｒが一致しないため（ステップＳ３３；ＮＯ）、用紙Ｐ（ｎ−３）と同一の紙種Ｑの用紙を給紙トレイＴ９から挿入可能であるか否かが判断される（ステップＳ３８）。紙種Ｑの用紙は、用紙Ｐ（ｎ）が残留している搬送経路５２を通ることなく、給紙トレイＴ９から挿入可能であるため（ステップＳ３８；ＹＥＳ）、（ｎ−３）番目の画像を形成するための用紙は、給紙トレイＴ９から新規に給紙されることとなる（ステップＳ４４）。
【００９０】
次に、ｉ＝２に設定し直され（ステップＳ４５）、用紙Ｐ（ｎ−２）と用紙Ｐ（ｎ）の紙種が比較される（ステップＳ３３）。
【００９１】
用紙Ｐ（ｎ−２）の紙種Ｑと用紙Ｐ（ｎ）の紙種Ｒが一致しないため（ステップＳ３３；ＮＯ）、用紙Ｐ（ｎ−２）と同一の紙種Ｑの用紙を給紙トレイＴ９から挿入可能であるか否かが判断される（ステップＳ３８）。紙種Ｑの用紙は、用紙Ｐ（ｎ）が残留している搬送経路５２を通ることなく、給紙トレイＴ９から挿入可能であるため（ステップＳ３８；ＹＥＳ）、（ｎ−２）番目の画像を形成するための用紙は、給紙トレイＴ９から新規に給紙されることとなる（ステップＳ４４）。
【００９２】
次に、ｉ＝１に設定し直され（ステップＳ４５）、用紙Ｐ（ｎ−１）と用紙Ｐ（ｎ）の紙種が比較される（ステップＳ３３）。
【００９３】
用紙Ｐ（ｎ−１）の紙種Ｑと用紙Ｐ（ｎ）の紙種Ｒが一致しないため（ステップＳ３３；ＮＯ）、用紙Ｐ（ｎ−１）と同一の紙種Ｑの用紙を給紙トレイＴ９から挿入可能であるか否かが判断される（ステップＳ３８）。紙種Ｑの用紙は、用紙Ｐ（ｎ）が残留している搬送経路５２を通ることなく、給紙トレイＴ９から挿入可能であるため（ステップＳ３８；ＹＥＳ）、（ｎ−１）番目の画像を形成するための用紙は、給紙トレイＴ９から新規に給紙されることとなる（ステップＳ４４）。
【００９４】
次に、ｉ＝０に設定し直され（ステップＳ４５）、用紙Ｐ（ｎ）と用紙Ｐ（ｎ）の紙種が比較される（ステップＳ３３）。用紙Ｐ（ｎ）の紙種Ｒと用紙Ｐ（ｎ）の紙種Ｒは一致しているため（ステップＳ３３；ＹＥＳ）、用紙Ｐ（ｎ）は、（ｎ）番目の画像を形成するために使用されることとなる（ステップＳ３４）。
【００９５】
用紙Ｐ（ｎ）の次の対象用紙は存在しないため（ステップＳ３５；ＮＯ）、使用される予定のある用紙を除く給紙済み用紙、すなわち、用紙Ｐ（ｎ−３）及び用紙Ｐ（ｎ−２）が、通常使用されている排紙トレイＴ１１とは別の排紙トレイＴ１２に排出される（ステップＳ３７）。
【００９６】
画像形成が再開されると（ステップＳ４６）、用紙Ｐ（ｎ−１）に対して、（ｎ−４）番目の画像が形成される。そして、用紙Ｐ（ｎ）が搬送経路５２に残留された状態のまま、給紙トレイＴ９から新規に給紙される紙種Ｑの用紙に対して、（ｎ−３）番目の画像、（ｎ−２）番目の画像、（ｎ−１）番目の画像が形成される。その後、搬送経路５２に残留していた用紙Ｐ（ｎ）に対して、（ｎ）番目の画像が形成される。
【００９７】
（ジャム発生例Ｄ）
図１０に、ジャム発生例Ｄとして、２種類の紙種（紙種Ｑ、紙種Ｒ）が混在したジョブを出力している際に、用紙Ｐ（ｎ−４）でジャムが発生した場合の例を示す。図１０において、用紙Ｐ（ｎ−４）、用紙Ｐ（ｎ−２）、用紙Ｐ（ｎ）は、給紙トレイＴ９から給紙された紙種Ｑの用紙であり、用紙Ｐ（ｎ−３）、用紙Ｐ（ｎ−１）は、給紙トレイＴ４から給紙された紙種Ｒの用紙である。
【００９８】
図１０の状況下では、図８のステップＳ３２において設定されるリカバリー紙番号は（ｎ−４）であり（ｉ＝４）、対象用紙番号は（ｎ−１）である（ｊ＝１）。
【００９９】
用紙Ｐ（ｎ−４）の紙種Ｑと用紙Ｐ（ｎ−１）の紙種Ｒが一致しないため（ステップＳ３３；ＮＯ）、用紙Ｐ（ｎ−４）と同一の紙種Ｑの用紙を給紙トレイＴ９から挿入可能であるか否かが判断される（ステップＳ３８）。しかし、搬送経路６１に用紙Ｐ（ｎ−１）及び用紙Ｐ（ｎ）が存在することにより、給紙トレイＴ９から新規用紙を給紙することはできないため（ステップＳ３８；ＮＯ）、用紙Ｐ（ｎ−４）と同一の紙種Ｑの用紙を別の給紙トレイから挿入可能であるか否かが判断される（ステップＳ３９）。ここでは、別の給紙トレイＴ３に紙種Ｑの用紙を入れることで、搬送経路６２を使用して、給紙トレイＴ３から新規用紙を給紙可能となるため（ステップＳ３９；ＹＥＳ）、（ｎ−４）番目の画像を形成するための用紙は、給紙トレイＴ３から新規に給紙されることとなる（ステップＳ４４）。
例えば、制御部１１により、表示部１３に、「給紙トレイＴ３に紙種Ｑの用紙を入れてください。」というメッセージが表示される。
【０１００】
次に、ｉ＝３に設定し直され（ステップＳ４５）、用紙Ｐ（ｎ−３）と用紙Ｐ（ｎ−１）の紙種が比較される（ステップＳ３３）。
【０１０１】
用紙Ｐ（ｎ−３）の紙種Ｒと用紙Ｐ（ｎ−１）の紙種Ｒが一致しているため（ステップＳ３３；ＹＥＳ）、用紙Ｐ（ｎ−１）は、（ｎ−３）番目の画像を形成するために使用されることとなる（ステップＳ３４）。用紙Ｐ（ｎ−１）の次の対象用紙である用紙Ｐ（ｎ）が存在するため（ステップＳ３５；ＹＥＳ）、ｉ＝２、ｊ＝０に設定し直され（ステップＳ３６）、用紙Ｐ（ｎ−２）と用紙Ｐ（ｎ）の紙種が比較される（ステップＳ３３）。
【０１０２】
用紙Ｐ（ｎ−２）の紙種Ｑと用紙Ｐ（ｎ）の紙種Ｑが一致しているため（ステップＳ３３；ＹＥＳ）、用紙Ｐ（ｎ）は、（ｎ−２）番目の画像を形成するために使用されることとなる（ステップＳ３４）。用紙Ｐ（ｎ）の次の対象用紙は存在しないため（ステップＳ３５；ＮＯ）、使用される予定のある用紙を除く給紙済み用紙、すなわち、用紙Ｐ（ｎ−３）及び用紙Ｐ（ｎ−２）が、通常使用されている排紙トレイＴ１１とは別の排紙トレイＴ１２に排出される（ステップＳ３７）。
【０１０３】
画像形成が再開されると（ステップＳ４６）、給紙トレイＴ３から新規に給紙される紙種Ｑの用紙に対して、（ｎ−４）番目の画像が形成され、用紙Ｐ（ｎ−１）に対して、（ｎ−３）番目の画像が形成され、用紙Ｐ（ｎ）に対して、（ｎ−２）番目の画像が形成される。（ｎ−１）番目の画像、（ｎ）番目の画像については、給紙からやり直されて、画像形成が行われる。
【０１０４】
このように、用紙Ｐ（ｎ−１）と用紙Ｐ（ｎ−４）の紙種が異なっていても、別の給紙トレイＴ３から給紙するための搬送経路６２が確保されている場合には、用紙Ｐ（ｎ−４）と同じ紙種Ｑの用紙を別の給紙トレイＴ３にセットして出力することができる。
【０１０５】
以上説明したように、第３の実施の形態によれば、ジャムに起因して形成が必要となる画像に対応する用紙の紙種と、対象用紙の紙種と、を比較し、両者が一致する場合に、対象用紙を排出させずに、ジャムに起因して形成が必要となる画像を対象用紙に形成させるので、全ての給紙済み用紙を排出させた場合と比較して、オートパージ機能を実施する際のヤレ紙を低減させることができる。
【０１０６】
また、ジャムに起因して形成が必要となる画像に対応する用紙の紙種と、対象用紙の紙種と、が一致しない場合に、新規用紙を給紙することで対応可能なときには、新規用紙に対してジャムに起因して形成が必要となる画像を形成させるので、効率良く対象用紙を利用することができる。
【０１０７】
なお、上記各実施の形態における記述は、本発明に係る画像形成装置の例であり、これに限定されるものではない。装置を構成する各部の細部構成及び細部動作に関しても本発明の趣旨を逸脱することのない範囲で適宜変更可能である。
【０１０８】
例えば、上記各実施の形態では、画像形成装置が給紙部２０及び用紙処理部３０を備えることとしたが、給紙部２０及び用紙処理部３０のそれぞれを独立した装置として、これらが画像形成部と接続された画像形成システムを構成するものであってもよい。
【０１０９】
また、上記各実施の形態では、ジャムが発生した際に、ユーザーがジャム紙を除去した後に、使用される予定のない給紙済み用紙を排出する場合について説明したが、ジャム紙が存在していても、使用される予定のない給紙済み用紙を排出可能な搬送経路が確保されている場合には、使用される予定のない給紙済み用紙を排出した後に、ユーザーがジャム紙を除去し、画像形成を再開することとしてもよい。
【０１１０】
以上の説明では、各処理を実行するためのプログラムを格納したコンピューター読み取り可能な媒体としてＲＯＭを使用した例を開示したが、この例に限定されない。その他のコンピューター読み取り可能な媒体として、フラッシュメモリー等の不揮発性メモリー、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１１１】
１０  画像形成部
１１  制御部
１４  記憶部
１７  搬送部
１８  ジャム検知部
２０  給紙部
３０  用紙処理部
４６  レジストローラー
１００，２００，３００  画像形成装置
Ｔ１〜Ｔ９  給紙トレイ
Ｔ１１，Ｔ１２  排紙トレイ
【図１】
0006488664.tif 000002
【図２】
0006488664.tif 000003
【図３】
0006488664.tif 000004
【図４】
0006488664.tif 000005
【図５】
0006488664.tif 000006
【図６】
0006488664.tif 000007
【図７】
0006488664.tif 000008
【図８】
0006488664.tif 000009
【図９】
0006488664.tif 000010
【図１０】
0006488664.tif 000011